(57)【要約】【課題】気密性を向上できる上に、自然換気及び強制換気のいずれの場合にもより効率的に空気流を生じさせることができ、省エネの要求に対して十分に満足し得る換気装置を提供すること。【解決手段】換気装置１は、部屋側２及び部屋外側３に開口する開口４及び５を有する通路６を画成する枠手段７と、通路６を開閉するように当該通路６にＡ及びＢ方向に回転自在に配されていると共に通路６の開状態において通路６内を自然空気流用と強制空気流用との二つの分岐通路８及び９に区画する区画部材１０を有した通路開閉手段１１と、区画部材１０に部分的に囲繞されていると共に分岐通路９にＡ方向に回転自在に配された羽根手段１２と、区画部材１０をＡ及びＢ方向に回転させる通路開閉用の回転手段１３と、羽根手段１２をＡ方向に回転させる強制空気流発生用の回転手段１４とを具備している。【選択図】      図１
2004279019.tif 000002
【特許請求の範囲】
【請求項１】
一対の開口を有する通路を画成する枠手段と、通路を開閉するように当該通路に回転自在に配されていると共に通路の開状態において通路内を自然空気流用と強制空気流用との二つの分岐通路に区画する区画部材を有した通路開閉手段と、区画部材に部分的に囲繞されていると共に一方の分岐通路に回転自在に配された羽根手段と、通路開閉手段により通路の開閉を行わせるべく、区画部材を回転させる通路開閉用の回転手段と、羽根手段により一方の分岐通路に強制空気流を生じさせるべく、当該羽根手段を回転させる強制空気流発生用の回転手段とを具備している換気装置。
【請求項２】
区画部材は半円筒体からなる請求項１に記載の換気装置。
【請求項３】
枠手段は、一対の側壁部と、一対の側壁部を橋絡した一対の横長部材とを有しており、一対の横長部材の夫々には横長のシール部材が設けられており、区画部材は、通路の閉塞において横長のシール部材の夫々に当接する突起と、通路の開状態において通路内を二つの分岐通路に区画する半円筒部と、この半円筒部の両端面を閉塞する一対の閉塞部とを有している請求項１又は２に記載の換気装置。
【請求項４】
半円筒部は、通路の開状態において一方の開口から他方の開口に向かうに連れて流路面積が漸増する強制空気路を一方の分岐通路側であって羽根手段の回転円筒外縁との間で形成するように、羽根手段の回転中心に対して偏心した位置に曲率中心を有している請求項３に記載の換気装置。
【請求項５】
半円筒部は、通路の開状態において一方の開口から他方の開口に向かうに連れて流路面積が漸減する他方の分岐通路を一方の横長部材との間で形成している請求項３又は４に記載の換気装置。
【請求項６】
他方の横長部材は、一方の開口から他方の開口に向かうに連れて流路面積が漸減する空気路を一方の分岐通路側であって羽根手段の回転円筒外縁との間で形成している請求項３から５のいずれか一項に記載の換気装置。
【請求項７】
半円筒部は、通路の閉塞において一方の開口と羽根手段との間又は他方の開口と羽根手段との間に配されるようになっている請求項３から６のいずれか一項に記載の換気装置。
【請求項８】
枠手段は、一対の側壁部と、一対の側壁部を橋絡した一対の横長部材とを有しており、一対の横長部材の夫々には横長のシール部材が設けられており、区画部材は、通路の閉塞において横長のシール部材の夫々に当接する突起と、通路の開状態において通路内を二つの分岐通路に区画する湾曲部と、この湾曲部の両端面を閉塞する一対の閉塞部とを有している請求項１に記載の換気装置。
【請求項９】
湾曲部は、通路の開状態において一方の開口から他方の開口に向かうに連れて流路面積が漸減する他方の分岐通路を一方の横長部材との間で形成している請求項８に記載の換気装置。
【請求項１０】
湾曲部は、通路の開状態において一方の開口から他方の開口に向かうに連れて流路面積が漸増する強制空気路を一方の分岐通路側であって羽根手段の回転円筒外縁との間で形成するように湾曲している請求項８又は９に記載の換気装置。
【請求項１１】
湾曲部は、通路の閉塞において一方の開口と羽根手段との間又は他方の開口と羽根手段との間に配されるようになっている請求項８から１０のいずれか一項に記載の換気装置。
【請求項１２】
一対の側壁部の夫々は円孔を有しており、通路開閉手段は、各閉塞部に一体的に設けられていると共に各側壁部の円孔に回転自在に配された円環状部と、この円環状部に一体的に設けられている軸部材とを有しており、羽根手段は、複数の羽根部材と、この羽根部材の各端を支持する支持部材と、この支持部材に固着されていると共に円環状部を貫通した軸部材とを有しており、通路開閉用の回転手段は、通路開閉手段の軸部材を回転させるための出力回転軸を有している電動モータを具備しており、強制空気流発生用の回転手段は、羽根手段の軸部材を回転させるための出力回転軸を有している電動モータを具備している請求項３から１１のいずれか一項に記載の換気装置。
【請求項１３】
請求項１から１２のいずれか一項に記載の換気装置を有した建物であって、一方の開口は、部屋側及び部屋外側のうちの一方に開口し、他方の開口は、部屋側及び部屋外側のうちの他方に開口している建物。
【請求項１４】
一方の開口は部屋側に、他方の開口は部屋外側に夫々開口している請求項１３に記載の建物。
【発明の詳細な説明】
【０００１】
【発明の属する技術分野】
本発明は、建物、特に戸建住宅又は集合住宅において窓の上部の換気口に取り付けられて好適な換気装置に関する。
【０００２】
【従来の技術】
【特許文献１】
特開２００２−２９５８７８号公報
【０００３】
【発明が解決しようとする課題】
最近の戸建住宅又は集合住宅では気密性が向上しているために、換気を適切に行わないと、室内の温度が容易に上昇してダニ等が発生し易くなり、また、炭酸ガスの濃度上昇により人体に弊害をもたらす虞がある。この観点から、各部屋の外壁上部又は窓サッシに換気口を設け、この換気口に複数枚の開閉板からなるシャッター及びファン等を具備してなる換気機構を設け、強制換気を行う場合には、シャッターを開状態にしてファンを回転させ、自然換気を行う場合には、シャッターを開状態にしてファンの回転を停止させ、そして、強制換気及び自然換気のいずれも行わない場合は、シャッターを閉状態にしてファンの回転を停止させるようにすることが提案されている。
【０００４】
ところで、斯かる換気機構のシャッターでは、閉状態において開閉板相互の重なり部の気密性（密閉性）をそれ程高くすることができず、また、開状態における自然換気及び強制換気のいずれにしても空気流に対して障害物となって効率的に空気流を生じさせていない。
【０００５】
そこで、特開２００２−２９５８７８号公報（特許文献１）に記載のような換気装置が提案されており、斯かる換気装置によれば、気密性を向上でき、しかも、自然換気及び強制換気のいずれの場合も効率的に空気流を生じさせることができるのであるが、公報に明示的に記載されている限りの換気装置では、羽根手段が邪魔となって効果的な自然換気が行われ難く、自然換気でもよい場合にも羽根手段を回転作動させざるを得ない場合があり、省エネの要求に対して必ずしも満足できるものではない。
【０００６】
本発明は、前記諸点に鑑みてなされたものであって、その目的とするところは、気密性を向上できる上に、自然換気及び強制換気のいずれの場合にもより効率的に空気流を生じさせることができ、省エネの要求に対して十分に満足し得る換気装置を提供することにある。
【０００７】
【課題を解決するための手段】
本発明の第一の態様の換気装置は、一対の開口を有する通路を画成する枠手段と、通路を開閉するように当該通路に回転自在に配されていると共に通路の開状態において通路内を自然空気流用と強制空気流用との二つの分岐通路に区画する区画部材を有した通路開閉手段と、区画部材に部分的に囲繞されていると共に一方の分岐通路に回転自在に配された羽根手段と、通路開閉手段により通路の開閉を行わせるべく、区画部材を回転させる通路開閉用の回転手段と、羽根手段により一方の分岐通路に強制空気流を生じさせるべく、当該羽根手段を回転させる強制空気流発生用の回転手段とを具備している。
【０００８】
第一の態様の換気装置では、シャッターとして区画部材を用いているために、それ自体の重なり部が生じることがなく、而して、気密性を向上でき、区画部材により通路内を自然空気流用と強制空気流用との二つの分岐通路に区画し、一方の分岐通路に羽根手段を配しているために、区画部材が邪魔とならない上に、羽根手段を回転させる際の強制換気の場合に、効率的に通路に空気流を生じさせることができ、しかも、羽根手段を回転させない際の自然換気の場合に、羽根手段が配された一方の分岐通路に加えて他の分岐通路を介して通路に空気流を生じさせることができる結果、より効率的に自然換気を行うことができ、而して、省エネの要求に対して十分に満足し得る。
【０００９】
本発明の第二の態様の換気装置では、第一の態様の換気装置において、区画部材は半円筒体からなっており、また、本発明の第三の態様の換気装置では、第一又は第二の態様の換気装置において、枠手段は、一対の側壁部と、一対の側壁部を橋絡した一対の横長部材とを有しており、一対の横長部材の夫々には横長のシール部材が設けられており、区画部材は、通路の閉塞において横長のシール部材の夫々に当接する突起と、通路の開状態において通路内を二つの分岐通路に区画する半円筒部と、この半円筒部の両端面を閉塞する一対の閉塞部とを有している。
【００１０】
第三の態様の換気装置によれば、横長のシール部材と突起との当接により、より高い気密性をもった通路の閉状態を得ることができ、而して、換気装置が設置される建物の部屋外側から部屋側への意図しない外気、塵埃の侵入及び同じく適温にされた空気の意図しない部屋側から部屋外側への排出を確実に防ぎ得る。
【００１１】
本発明の換気装置では、その第四の態様の換気装置のように、半円筒部は、通路の開状態において一方の開口から他方の開口に向かうに連れて流路面積が漸増する強制空気路を一方の分岐通路側であって羽根手段の回転円筒外縁との間で形成するように、羽根手段の回転中心に対して偏心した位置に曲率中心を有している。
【００１２】
また半円筒部は、本発明の第五の態様の換気装置のように、通路の開状態において一方の開口から他方の開口に向かうに連れて流路面積が漸減する他方の分岐通路を一方の横長部材との間で形成していてもよい。
【００１３】
本発明の換気装置では、その第六の態様の換気装置のように、他方の横長部材は、一方の開口から他方の開口に向かうに連れて流路面積が漸減する空気路を一方の分岐通路側であって羽根手段の回転円筒外縁との間で形成している。
【００１４】
第四及び第六の態様の換気装置のような強制空気路及び空気路を具備していると、一方の開口から他方の開口に向かう強制空気流を羽根手段の回転により効率よく生じさせることができる。
【００１５】
半円筒部は、本発明の第七の態様の換気装置のように、通路の閉塞において一方の開口と羽根手段との間又は他方の開口と羽根手段との間に配されるようになっているとよい。
【００１６】
枠手段はまた、本発明の第八の態様の換気装置のように、一対の側壁部と、一対の側壁部を橋絡した一対の横長部材とを有しており、一対の横長部材の夫々には横長のシール部材が設けられており、区画部材は、通路の閉塞において横長のシール部材の夫々に当接する突起と、通路の開状態において通路内を二つの分岐通路に区画する湾曲部と、この湾曲部の両端面を閉塞する一対の閉塞部とを有していてもよい。
【００１７】
第八の態様の換気装置でも、第三の態様の換気装置と同様に、横長のシール部材と突起との当接により、より高い気密性をもった通路の閉状態を得ることができ、而して、換気装置が設置される建物の部屋外側から部屋側への意図しない外気、塵埃の侵入及び同じく適温にされた空気の意図しない部屋側から部屋外側への排出を確実に防ぎ得る。
【００１８】
湾曲部は、本発明の第九の態様の換気装置のように、通路の開状態において一方の開口から他方の開口に向かうに連れて流路面積が漸減する他方の分岐通路を一方の横長部材との間で形成している。
【００１９】
また湾曲部は、本発明の第十の態様の換気装置のように、通路の開状態において一方の開口から他方の開口に向かうに連れて流路面積が漸増する強制空気路を一方の分岐通路側であって羽根手段の回転円筒外縁との間で形成するように湾曲していてもよい。
【００２０】
本発明の換気装置では、その第十一の態様の換気装置のように、湾曲部は、通路の閉塞において一方の開口と羽根手段との間又は他方の開口と羽根手段との間に配されるようになっているとよい。
【００２１】
本発明の第十二の態様の換気装置では、第三から第十一のいずれかの態様の換気装置において、一対の側壁部の夫々は円孔を有しており、通路開閉手段は、各閉塞部に一体的に設けられていると共に各側壁部の円孔に回転自在に配された円環状部と、この円環状部に一体的に設けられている軸部材とを有しており、羽根手段は、複数の羽根部材と、この羽根部材の各端を支持する支持部材と、この支持部材に固着されていると共に円環状部を貫通した軸部材とを有しており、通路開閉用の回転手段は、通路開閉手段の軸部材を回転させるための出力回転軸を有している電動モータを具備しており、強制空気流発生用の回転手段は、羽根手段の軸部材を回転させるための出力回転軸を有している電動モータを具備している。
【００２２】
本発明では、両回転手段の夫々の電動モータを互いに並置しても、これに代えて、枠手段の各側壁部側に夫々互いに対向するようにして配してもよく、前者の場合には、回転手段の横方向の占有スペースの削減を図り得、後者の場合には、縦方向の占有スペースの削減を図り得る。
【００２３】
本発明における通路開閉用の回転手段は、区画部材を回転させる回転力を発生する電動モータ等を具備して構成してもよいが、これに代えて又はこれと共に、手動で区画部材を回転させる回転力を発生するようにしてもよく、また、通路開閉用及び強制空気流発生用の回転手段のうちの少なくとも一方の回転手段の作動をコンピュータ等を用いて遠隔的又は自動的に制御するようにしてもよい。この場合、部屋内、部屋外等に温度、湿度、風速及び炭酸ガス等のセンサのうちの少なくとも一つのセンサを取り付けて、このセンサからの信号に基づいてプログラム制御するようにしてもよい。
【００２４】
本発明の第一の態様の建物は、上記のいずれかの態様の換気装置を有しており、ここで、一方の開口は、部屋側及び部屋外側のうちの一方に開口し、他方の開口は、部屋側及び部屋外側のうちの他方に開口している。
【００２５】
本発明の換気装置は、建物、例えば戸建住宅又は集合住宅、好ましくは戸建住宅の窓の上部に設置されて好適であるが、この場合、通路の一方の開口が直接部屋外、特に屋外又は部屋に開口している必要はなく、屋外又は部屋に連通する建物内の空気通路に開口していてもよく、また通路の他方の開口も同様であって、直接部屋又は屋外に開口している必要はなく、部屋又は屋外に連通する建物内の空気通路に開口していてもよい。
【００２６】
好ましい例では、本発明の第二の態様の建物のように、一方の開口は部屋側に、他方の開口は部屋外側に夫々開口している。
【００２７】
次に本発明及びその実施の形態を、図に示す好ましい例に基づいて更に詳細に説明する。なお、本発明はこれら例に何等限定されないのである。
【００２８】
【発明の実施の形態】
図１から図５において、本例の換気装置１は、部屋側２及び部屋外側３に開口する一対の開口４及び５を有する通路６を画成する枠手段７と、通路６を開閉するように当該通路６にＡ及びＢ方向に回転自在に配されていると共に通路６の開状態において通路６内を自然空気流用と強制空気流用との二つの分岐通路８及び９に区画する区画部材１０を有した通路開閉手段１１と、区画部材１０に部分的に囲繞されていると共に分岐通路９にＡ方向に回転自在に配された羽根手段１２と、通路開閉手段１１により通路６の開閉を行わせるべく、区画部材１０をＡ及びＢ方向に回転させる通路開閉用の回転手段１３と、羽根手段１２により分岐通路９に強制空気流を生じさせるべく、当該羽根手段１２をＡ方向に回転させる強制空気流発生用の回転手段１４と、区画部材１０のＡ及びＢ方向に関する一定以上の回転を規制する規制手段（図示せず）とを具備している。
【００２９】
枠手段７は、左右の一対の矩形状の側壁部２１及び２２と、夫々円孔４１及び４２を有した一対の側壁部２１及び２２を橋絡し、当該一対の側壁部２１及び２２の夫々に固着された上下の一対の中空の横長部材２３及び２４とを有しており、一対の横長部材２３及び２４の夫々には、両端において側壁部２１及び２２の夫々に密に当接するようにして、ゴム等の弾性材からなる横長のシール部材２５及び２６が嵌着されて設けられている。
【００３０】
横長部材２３は、部屋側２に開口する開口４から部屋外側３に開口する開口５に向かうに連れて流路面積が漸減する空気路２７を分岐通路９側であって羽根手段１２の回転円筒外縁２８との間で形成する円弧部２９を有している。
【００３１】
半円筒体からなる区画部材１０は、通路６の閉塞（図６の状態）においてシール部材２５及び２６の夫々に当接する突起３１及び３２と、突起３１及び３２が一体的に形成されていると共に通路６の開状態（図１の状態）において通路６内を二つの分岐通路８及び９に区画する半円筒部３３と、半円筒部３３の左右両端面を閉塞すると共にねじ又は溶接等により半円筒部３３の両端面に固着された一対の扇形の閉塞部３４及び３５とを具備している。
【００３２】
半円筒部３３は、通路６の開状態（図１の状態）において部屋側２に開口する開口４から部屋外側３に開口する開口５に向かうに連れて流路面積が漸減する分岐通路８を横長部材２４の円弧部３６との間で形成していると共に、通路６の開状態において部屋側２に開口する開口４から部屋外側３に開口する開口５に向かうに連れて流路面積が漸増する強制空気路３７を分岐通路９側であって羽根手段１２の回転円筒外縁２８との間で形成するように、羽根手段１２のＡ方向の回転中心Ｏ１に対して偏心した位置に曲率中心Ｏ２を有しており、通路６の閉塞において開口４と羽根手段１２との間に配されるようになっている。
【００３３】
通路開閉手段１１は、区画部材１０に加えて、閉塞部３４及び３５の夫々に固着されて一体的に設けられていると共に対応の側壁部２１及び２２の円孔４１及び４２の夫々に外周縁４３及び４４の夫々でＡ及びＢ方向に回転自在に接触して配された円環状部４５及び４６と、円環状部４５及び４６の夫々に固着されて一体的に設けられている軸部材４７及び４８とを有しており、軸部材４７は、転がり軸受４９を介して支持部材５０に回転中心Ｏ１を中心としてＡ及びＢ方向に回転自在となるように支持されており、軸部材４８は、転がり軸受５１を介して支持部材５２に同じく回転中心Ｏ１を中心としてＡ及びＢ方向に回転自在となるように支持されている。
【００３４】
支持部材５０は、基台５３に、支持部材５２は、基台５４に夫々取り付けられており、基台５３には側壁部２１が、基台５４には側壁部２２が夫々取り付けられている。
【００３５】
羽根手段１２は、Ａ方向に等角度に配された複数の羽根部材６１と、各羽根部材６１の各端を支持する円板状の支持部材６２及び６３と、支持部材６２及び６３の夫々に固着されている軸部材６４及び６５と、支持部材６２及び６３を橋絡して当該支持部材６２及び６３の夫々に固着されていると共に複数の羽根部材６１に囲まれている円筒部材６６とを有しており、軸部材６４は、円環状部４５を貫通してしかも円環状部４５に回転中心Ｏ１を中心としてＡ及びＢ方向に回転自在となるように支持されていると共に軸部材４７の凹所６７まで伸びて凹所６７で終端しており、軸部材６５は、円環状部４６及び軸部材４８を貫通して円環状部４６及び軸部材４８に回転中心Ｏ１を中心としてＡ及びＢ方向に回転自在となるように支持されていると共に連結具６８を介して電動モータ６９の出力回転軸７０に連結されている。羽根手段１２のＡ方向の回転で、羽根部材６１の外縁が回転円筒外縁２８を形成することになる。
【００３６】
通路開閉用の回転手段１３は、基台５３に装着されていると共に出力回転軸（図示せず）を有した電動モータ８１と、電動モータ８１の出力回転軸の回転を減速して通路開閉手段１１の軸部材４７に連結具８２を介して伝達させる減速歯車機構８３とを具備しており、基台５３に装着されている減速歯車機構８３は、電動モータ８１の出力回転軸に連結された入力回転軸（図示せず）と、連結具８２を介して軸部材４７に連結される出力回転軸８４とを具備している。
【００３７】
回転手段１３は、電動モータ８１の作動によるその出力回転軸の回転で出力回転軸８４を回転させ、出力回転軸８４の回転により連結具８２を介して軸部材４７を回転させ、而して、通路開閉手段１１を回転中心Ｏ１を中心としてＡ及びＢ方向に回転させて、区画部材１０により通路６を開閉させるようになっている。
【００３８】
強制空気流発生用の回転手段１４は、羽根手段１２の軸部材６５に連結具６８を介して連結されていると共に羽根手段１２の軸部材６５を回転中心Ｏ１を中心としてＡ方向に回転させる出力回転軸７０を有した電動モータ６９を具備している。
【００３９】
回転手段１４は、基台５４に装着された電動モータ６９の作動による出力回転軸７０の回転で、連結具６８を介して軸部材６５を回転させ、これにより羽根手段１２をＡ方向に回転させるようになっている。
【００４０】
区画部材１０のＡ及びＢ方向に関する一定以上の回転を規制する規制手段は、電動モータ８１の作動による区画部材１０のＢ方向の回転で図６に示すように突起３１がシール部材２５を若干撓ませるようにしてシール部材２５にぴったりと当接する位置で区画部材１０をそれ以上Ｂ方向に回転させないようにし、電動モータ８１の逆作動による区画部材１０のＡ方向の回転で図１に示すように通路６が最大に開かれた位置で区画部材１０をそれ以上Ｂ方向に回転させないようにする。斯かる規制手段は、例えば、出力回転軸８４に設けられた突起と、この突起に当接するように基台５３に設けられたストッパ部材とから構成し得る。
【００４１】
以上の換気装置１は、ガラス障子９１及び９２が嵌め込まれた建物の窓９３の上サッシ９４上の一対の横部材９５及び９６間の換気口に装着されて用いられる。この場合、横長部材２３の取付部９７、ブラケット及びねじ等を介して横長部材２３が横部材９５に固着される一方、横長部材２４の取付部９８及びねじ等を介して横長部材２４が横部材９６に固着されて、換気装置１は、一対の横部材９５及び９６間の換気口に保持されており、開口５に面した孔９９を有した取付板１００がその上縁部で横部材９５にその下縁部で横部材９６に夫々ねじ等を介して固着されており、孔９９を介する開口５への雨水の侵入を防止するためのカバー１０２が取付板１００の上縁部に溶接等により取り付けられており、カバー１０２の下縁部と取付板１００の下縁部との間には、防塵、防鳥用の金網１０１がねじ等を介して取り付けられている。
【００４２】
以上の換気装置１では、図１に示す通路６の開状態では、部屋側２及び部屋外側３間の気圧差に基づいて通路６に自然空気流が生じ部屋側２が自然換気される。この自然換気は、分岐通路８と空気路２７及び強制空気路３７からなる分岐通路９とを介して行われる。通路６の開状態で、電動モータ６９が作動されて羽根手段１２がＡ方向に回転されると、部屋側２及び部屋外側３間に気圧差が生じない際でも、強制空気路３７を介して通路６に強制空気流が生じ部屋側２が強制換気される。そして、図１に示す通路６の開状態で電動モータ８１が作動されて区画部材１０がＢ方向に回転されて突起３１がシール部材２５を若干撓ませるようにしてシール部材２５にぴったりと当接する一方、突起３２がシール部材２６を若干撓ませるようにしてシール部材２６にぴったりと当接して区画部材１０により図６に示すように通路６が閉塞されると、部屋外側３から部屋側２への強風等の吹き込みが防止され、また部屋側２から部屋外側３への温度調整された適温空気の排出が防止される。
【００４３】
そして換気装置１では、シャッターとして区画部材１０を用いているために、それ自体の重なり部が生じることがなく、而して、気密性を向上でき、しかも、区画部材１０により通路６内を自然空気流用と強制空気流用との二つの分岐通路８及び９に区画し、分岐通路９に羽根手段１２を配しているために、区画部材１０が邪魔とならない上に、羽根手段１２を回転させる際の強制換気の場合に、効率的に通路６に強制空気流を生じさせることができ、しかも、羽根手段１２を回転させない際の自然換気の場合に、羽根手段１２が配された分岐通路９に加えて分岐通路８を介して通路６に空気流を生じさせることができる結果、より効率的に自然換気を行うことができ、而して、省エネの要求に対して十分に満足し得る。
【００４４】
また換気装置１によれば、横長のシール部材２５及び２６と突起３１及び３２との夫々の当接により、より高い気密性をもった通路６の閉状態を得ることができ、而して、意図しない外気、塵埃の部屋外側３から部屋側２への侵入及び同じく適温にされた空気の意図しない部屋側２から部屋外側３への排出を確実に防ぎ得る。
【００４５】
なお、電動モータ８１は、通路６が全開状態（図１の状態）又は全閉状態（図６の状態）になるように作動される必要はなく、通路６が半開状態（半閉状態）になるように作動されるようにしてもよく、更に斯かる通路６の半開状態で羽根手段１２を回転させて強制換気を行ってもよい。
【００４６】
上記では、開口４を部屋側２に、開口５を部屋外側３に夫々配置して換気装置１を窓９３の上部に設けたが、これに代えて、開口４を部屋外側３に、開口５を部屋側２に夫々配置して換気装置１を窓９３の上部に設けてもよい。
【００４７】
また上記の換気装置１では、半円筒部３３を具備して区画部材１０を構成したが、これに代えて図７に示すように、湾曲部１１１を具備して区画部材１０を構成してもよい。
【００４８】
図７に示す換気装置１において、湾曲部１１１は、通路６の開状態（図７に示す状態）において開口４から開口５に向かうに連れて最初は流路面積が漸減し、その後は、漸増する分岐通路８を横長部材２４との間で形成しており、通路６の開状態において開口４から開口５に向かうに連れて流路面積が漸増する強制空気路３７を分岐通路９側であって羽根手段１２の回転円筒外縁２８との間で形成するように湾曲しており、通路６の閉塞（図８に示す状態）において開口５と羽根手段１２との間に配されるようになっている。
【００４９】
図７に示す換気装置１でも、通路６の開状態では、部屋側２及び部屋外側３間の気圧差に基づいて通路６に自然空気流が生じ部屋側２が自然換気され、この自然換気は、分岐通路８と強制空気路３７からなる分岐通路９とを介して行われ、通路６の開状態で、電動モータ６９が作動されて羽根手段１２がＡ方向に回転されると、部屋側２及び部屋外側３間に気圧差が生じない際でも、強制空気路３７を介して通路６に強制空気流が生じ部屋側２が強制換気され、そして、図７に示す通路６の開状態で電動モータ８１が作動されて区画部材１０がＢ方向に回転されて突起３１がシール部材２５を若干撓ませるようにしてシール部材２５にぴったりと当接する一方、突起３２がシール部材２６を若干撓ませるようにしてシール部材２６にぴったりと当接して区画部材１０により図８に示すように通路６が閉塞されると、部屋外側３から部屋側２への強風等の吹き込みが防止され、また部屋側２から部屋外側３への温度調整された適温空気の排出が防止される。
【００５０】
図７に示す換気装置１でも、シャッターとして区画部材１０を用いているために、それ自体の重なり部が生じることがなく、而して、気密性を向上でき、しかも、区画部材１０により通路６内を自然空気流用と強制空気流用との二つの分岐通路８及び９に区画し、分岐通路９に羽根手段１２を配しているために、区画部材１０が邪魔とならない上に、羽根手段１２を回転させる際の強制換気の場合に、効率的に通路６に強制空気流を生じさせることができ、しかも、羽根手段１２を回転させない際の自然換気の場合に、羽根手段１２が配された分岐通路９に加えて分岐通路８を介して通路６に空気流を生じさせることができる結果、より効率的に自然換気を行うことができ、而して、省エネの要求に対して十分に満足し得る。
【００５１】
また図７に示す換気装置１によれば、横長のシール部材２５及び２６と突起３１及び３２との夫々の当接により、より高い気密性をもった通路６の閉状態を得ることができ、而して、意図しない外気、塵埃の部屋外側３から部屋側２への侵入及び同じく適温にされた空気の意図しない部屋側２から部屋外側３への排出を確実に防ぎ得る上に、通路６の閉塞において湾曲部１１１が開口５と羽根手段１２との間に配されるようになっているために、部屋外側３から羽根手段１２への塵埃の吹き付けがなく、羽根手段１２を比較的長期に亘って清浄に保つことができる。
【００５２】
湾曲部１１１を具備した区画部材１０をもって換気装置１を構成する場合にも、開口５を部屋側２に、開口４を部屋外側３に夫々配置してもよい。
【００５３】
【発明の効果】
本発明によれば、気密性を向上できる上に、自然換気及び強制換気のいずれの場合もより効率的に空気流を生じさせることができ、省エネの要求に対して十分に満足し得る換気装置を提供することができる。
【図面の簡単な説明】
【図１】本発明の実施の形態の好ましい一例の断面図である。
【図２】図１に示す例の換気装置の部屋側からの説明図である。
【図３】図２に示す換気装置の一部説明図である。
【図４】図３に示す換気装置の一部の左側面図である。
【図５】図３に示す換気装置の一部の右側面図である。
【図６】図１に示す例の動作説明図である。
【図７】本発明の実施の形態の好ましい他の例の断面図である。
【図８】図７に示す例の動作説明図である。
【符号の説明】
１  換気装置
２  部屋側
３  部屋外側
４、５  開口
６  通路
７  枠手段
８、９  分岐通路
１０  区画部材
１１  通路開閉手段
１２  羽根手段
１３、１４  回転手段
【図１】
2004279019.tif 000003
【図２】
2004279019.tif 000004
【図３】
2004279019.tif 000005
【図４】
2004279019.tif 000006
【図５】
2004279019.tif 000007
【図６】
2004279019.tif 000008
【図７】
2004279019.tif 000009
【図８】
2004279019.tif 000010